(57)【要約】【課題】スケールによりミストが意図されない方向に噴霧されるのを抑制することができる便座装置を提供する。【解決手段】便座装置は、便器の内部と便座部とのうち少なくとも一方に向けてミストを噴霧する噴霧装置と、前記噴霧装置を制御する制御装置と、を備えている。前記噴霧装置は、板状に形成された噴霧部と、前記噴霧部の上面に水を供給する給水部と、を有している。前記制御装置は、前記給水部から前記噴霧部の上面に水が供給された状態で前記噴霧部を駆動することにより前記ミストを噴霧するミストモードと、前記ミストモードの後で前記噴霧部を駆動することにより前記噴霧部の残水を排出する残水排出モードと、を実行する。【選択図】図３
2020148015.tif 000002
【特許請求の範囲】
【請求項１】
便器の内部と便座部とのうち少なくとも一方に向けてミストを噴霧する噴霧装置と、前記噴霧装置を制御する制御装置と、を備え、
前記噴霧装置は、板状に形成された噴霧部と、前記噴霧部の上面に水を供給する給水部と、を有しており、
前記制御装置は、
前記給水部から前記噴霧部の上面に水が供給された状態で前記噴霧部を駆動することにより前記ミストを噴霧するミストモードと、
前記ミストモードの後で前記噴霧部を駆動することにより前記噴霧部の残水を排出する残水排出モードと、
を実行することを特徴とする便座装置。
【請求項２】
前記制御装置は、前記ミストモードの後で前記残水排出モードが終了するよりも前に、前記給水部の内部の残水を抜く水抜モードを実行することを特徴とする請求項１に記載の便座装置。
【請求項３】
前記残水排出モードは、前記水抜モード中にも実行されることを特徴とする請求項２に記載の便座装置。
【請求項４】
前記水抜モード中に実行される前記残水排出モードは、前記水抜モード中に間欠的に実行されることを特徴とする請求項３に記載の便座装置。
【請求項５】
前記残水排出モードは、前記噴霧部の残水をミストにせずに前記噴霧部から排出することを特徴とする請求項１〜４のいずれか１項に記載の便座装置。
【請求項６】
前記残水排出モードは、前記噴霧部の残水を前記便器内の溜水部に落下させることを特徴とする請求項１〜５のいずれか１項に記載の便座装置。
【発明の詳細な説明】
【技術分野】
【０００１】
本発明の態様は、一般的に、便座装置に関する。
【背景技術】
【０００２】
酸化分解作用や漂白作用を有する次亜塩素酸水などの洗浄水（除菌水）を便器のボウル部に吐水することで、ボウル部における菌や汚れの発生を抑制することができる便座装置が知られている（例えば、特許文献１）。また、オゾン水や電解殺菌水、高温水を０．１〜５０μｍ程度のミスト状にして、このミストを気流によってボウル部だけでなく便座部や便蓋、便器のリム部に届けることで、便器の隅々を洗浄するミスト洗浄付きの便座装置が知られている（例えば、特許文献２）。
【先行技術文献】
【特許文献】
【０００３】
【特許文献１】特許第５０２９９３０号公報
【特許文献２】特開２００７−１３８６０５号公報
【発明の概要】
【発明が解決しようとする課題】
【０００４】
ミスト（洗浄水）を便器や便座部に噴霧することで、便座装置の清潔性を維持することができる。しかし、ミストを噴霧した後に噴霧装置などに残水が長時間放置されるとスケールが発生する虞がある。このようなスケールは、ミストの流れ方向を乱すので、ミストを意図しない方向に噴出させる。その結果、ミストが便器外に噴霧されたり、人体にかかったりして、便器の隅々にミストが正常に噴霧されなくなる虞がある。
【０００５】
本発明は、かかる課題の認識に基づいてなされたものであり、スケールによりミストが意図されない方向に噴霧されるのを抑制することができる便座装置を提供することを目的とする。
【課題を解決するための手段】
【０００６】
第１の発明は、便器の内部と便座部とのうち少なくとも一方に向けてミストを噴霧する噴霧装置と、前記噴霧装置を制御する制御装置と、を備え、前記噴霧装置は、板状に形成された噴霧部と、前記噴霧部の上面に水を供給する給水部と、を有しており、前記制御装置は、前記給水部から前記噴霧部の上面に水が供給された状態で前記噴霧部を駆動することにより前記ミストを噴霧するミストモードと、前記ミストモードの後で前記噴霧部を駆動することにより前記噴霧部の残水を排出する残水排出モードと、を実行することを特徴とする便座装置である。
【０００７】
この便座装置によれば、残水排出モードを実行することで、ミストモードの実行後に噴霧部の残水を排出することができる。これにより、噴霧部にスケールが発生するのを抑制することができる。その結果、スケールが原因でミストが意図しない方向に噴霧されることを抑制できる。
【０００８】
第２の発明は、第１の発明において、前記制御装置は、前記ミストモードの後で前記残水排出モードが終了するよりも前に、前記給水部の内部の残水を抜く水抜モードを実行することを特徴とする便座装置である。
【０００９】
この便座装置によれば、水抜モードの後に残水排出モードが終了するので、噴霧部の残水をより確実に排出することができ、噴霧部にスケールが発生することをより確実に抑制できる。
【００１０】
第３の発明は、第２の発明において、前記残水排出モードは、前記水抜モード中にも実行されることを特徴とする便座装置である。
【００１１】
水抜モードが長時間実行された場合には、噴霧部に残水が長時間滞留してスケールが発生する可能性がある。そこで、この便座装置によれば、水抜モード中も、残水排出モードを実行することで、噴霧部の残水を効率よく排出でき、スケールが発生することをより確実に抑制できる。
【００１２】
第４の発明は、第３の発明において、前記水抜モード中に実行される前記残水排出モードは、前記水抜モード中に間欠的に実行されることを特徴とする便座装置である。
【００１３】
水抜モードが長時間実行された場合に、常に噴霧装置を駆動していると、噴霧装置の駆動時間が長くなり、噴霧装置の寿命が短くなる可能性がある。そこで、この便座装置によれば、水抜モード中の、残水排出モードの実行を間欠的に駆動することで、噴霧装置に残水が長時間滞留することを抑制しつつ、噴霧装置の駆動時間を短くすることができるので、噴霧装置の寿命を向上できる。
【００１４】
第５の発明は、第１〜第４のいずれか１つの発明において、前記残水排出モードは、前記噴霧部の残水をミストにせずに前記噴霧部から排出することを特徴とする便座装置である。
【００１５】
この便座装置によれば、噴霧部の残水は便器の内部に向けて勢いよく噴霧されない。従って、ミストモードによって便座部や便器の内部に滞留させていたミスト（例えば除菌水ミスト）の上に、残水排出モードによって便座部や便器の内部に噴霧したミストが着水して、ミストモードにより付着させたミストが流れ落ちることを抑制できる。
【００１６】
第６の発明は、第１〜第５のいずれか１つの発明において、前記残水排出モードは、前記噴霧部の残水を前記便器内の溜水部に落下させることを特徴とする便座装置である。
【００１７】
この便座装置によれば、噴霧部の残水を便器内の溜水に落とすことができるので、ミストモードによって便座部や便器の内部に滞留させていたミスト（例えば除菌水ミスト）の上に、残水排出モードによって便座部や便器の内部に噴霧したミストが着水して、ミストモードにより付着させたミストが流れ落ちることを抑制できる。
【発明の効果】
【００１８】
本発明の態様によれば、スケールによりミストが意図されない方向に噴霧されるのを抑制することができる。
【図面の簡単な説明】
【００１９】
【図１】本発明の第１実施形態に係るトイレ装置を示す斜視図である。
【図２】ミストモードが実行されているときに図１中のトイレ装置を矢示Ａ−Ａ方向からみた断面図である。
【図３】残水排出モードが実行されているときに図１中のトイレ装置を矢示Ａ−Ａ方向からみた断面図である。
【図４】便座装置の要部構成を示すブロック図である。
【図５】図５（ａ）〜図５（ｅ）は、便座装置の本体部を示す平面図および斜視図である。
【図６】図５（ｃ）中の本体部と噴霧装置とを矢示Ｂ−Ｂ方向からみた断面図である。
【図７】図７（ａ）〜図７（ｃ）は、ミストモード、水抜モード、および残水排出モードを実行しているときの噴霧装置の状態を模式的に示す模式図である。
【図８】制御装置によるミストモード、水抜モード、および残水排出モードを示す流れ図である。
【図９】水抜モードおよび残水排出モードの実行状態の一例を示すタイムチャートである。
【図１０】本発明の第２実施形態に係る制御装置によるミストモード、水抜モード、および残水排出モードを示す流れ図である。
【図１１】水抜モードおよび残水排出モードの実行状態の一例を示すタイムチャートである。
【図１２】図１２（ａ）〜図１２（ｃ）は、本発明の変形例による噴霧装置で実行されるミストモード、水抜モード、および残水排出モードを模式的に示す模式図である。
【発明を実施するための形態】
【００２０】
以下、本発明の実施形態について図面を参照しつつ説明する。なお、各図面中、同様の構成要素には同一の符号を付して詳細な説明は適宜省略する。図１〜図９は、本発明の便座装置による第１実施形態を示している。  
図１は、本発明の第１実施形態に係るトイレ装置を示す斜視図である。  
図２は、ミストモードが実行されているときに図１中のトイレ装置を矢示Ａ−Ａ方向からみた断面図である。
図３は、残水排出モードが実行されているときに図１中のトイレ装置を矢示Ａ−Ａ方向からみた断面図である。
【００２１】
図１に示すトイレ装置１は、洋式腰掛便器（以下説明の便宜上、単に「便器１００」と称する）と、便座装置１０と、を備える。便器１００は、汚物を受ける凹状のボウル部１０１を有する。便座装置１０は、便器１００の上部に設置されている。
【００２２】
便器１００の後方には、本体部１２が配置されている。便座部１４は、本体部１２に回動可能に軸支されている。便座装置１０は、便器１００の内部と便座部１４とのうち少なくとも一方にミストＭを噴霧する噴霧装置６０と、噴霧装置６０を制御する制御装置７０と、を備えている。便座部１４の後側には、本体部１２に回動可能に軸支される便蓋１６が設けられている。図１の状態は、便座部１４が閉じた状態（下げられた状態）であり、便蓋１６が開いた状態（上げられた状態）である。便蓋１６は、閉じた状態では、便座部１４の座面１４ａを上方から覆う。
【００２３】
本体部１２には、使用者が便座部１４に座ったことを検知する着座検知センサ２０が設けられている。また、本体部１２の内部には、便座部１４に座った使用者の人体局部（「おしり」など）の洗浄を実現する身体洗浄機能部５８などが内蔵されている。着座検知センサ２０が便座部１４に座った使用者を検知している場合において、使用者が例えばリモコンなどの手動操作部２４を操作すると、身体洗浄機能部５８の洗浄ノズル（以下説明の便宜上、単に「ノズル５８ａ」と称する）を便器１００のボウル部１０１内に進出させることができる。なお、図１に示す便座装置１０では、ノズル５８ａがボウル部１０１内に進出した状態を表している。
【００２４】
ノズル５８ａの先端部には、ひとつまたは複数の吐水口が設けられている。そして、ノズル５８ａは、その先端部に設けられた吐水口から水を噴射して、便座部１４に座った使用者の「おしり」などを洗浄することができる。なお、本願明細書において、「上方」、「下方」、「前方」、「後方」、「左側方」、および「右側方」のそれぞれは、開いた便蓋１６に背を向けて便座部１４に座った使用者から見た方向である。
【００２５】
図２、図３に示すように、便器１００は、ボウル部１０１の上に設けられたリム部１０２を有する。リム部１０２は、便器１００の上縁部を形成する環状部分である。リム部１０２は、上面１０３と、内壁面１０４と、を有する。上面１０３は、閉じられた便座部１４の裏面１４ｂと対面している。ボウル部１０１内には、溜水部１０１ａが設けられている。この溜水部１０１ａには、溜水Ｗ１が溜められる。図３に示すように、溜水部１０１ａは、ボウル部１０１内のうち溜水Ｗ１の最大水位ＷＬよりも下側の部分となっている。そして、例えば使用者が、手動操作部２４（リモコン）に設けられたスイッチによって便器洗浄の操作を行ったり、使用者が便座部１４から立ち上がったりすると、便器洗浄（ボウル部１０１内の汚物を排出し、ボウル部１０１の表面を洗浄する動作）が実行される。便器洗浄においては、ボウル部１０１内に洗浄水が供給される。
【００２６】
また、図２に示すように、制御装置７０がミストモードを実行しているときには、噴霧装置６０から便器１００の内部および便座部１４に向けて水道水または除菌水のミストＭが噴霧される。一方、図３に示すように、制御装置７０が残水排出モードを実行しているときには、噴霧装置６０から便器１００の溜水部１０１ａに溜められた溜水Ｗ１に向けて残水Ｐが落下する。ミストモードおよび残水排出モードについては、後述で説明する。
【００２７】
図４は、便座装置の要部構成を示すブロック図である。  
なお、図４は、水路系と電気系の要部構成を併せて表している。
着座検知センサ２０は、使用者の便座部１４への着座の有無を検知することができる。着座検知センサ２０は、使用者の着座および離座を検知する。着座検知センサ２０には、マイクロ波センサ、測距センサ（赤外線投光式センサ）、超音波センサ、タクトスイッチ、静電容量スイッチ（タッチセンサ）、または歪みセンサを用いることができる。
【００２８】
なお、タクトスイッチ、静電センサおよび歪みセンサなどの接触式センサを用いる場合には、これらの接触式センサは、便座部１４に設けられる。便座部１４に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００２９】
人体検知センサ２２は、便器１００の前方にいる使用者、すなわち便座部１４から前方へ離間した位置に存在する使用者を検知することができる。つまり、人体検知センサ２２は、トイレ室に入室して便座部１４に近づいてきた使用者を検知することができる。このような人体検知センサとして、例えば焦電センサ、マイクロ波センサ、超音波センサ、または測距センサ（赤外線投光式センサ）を用いることができる。人体検知センサ２２は、トイレ室のドアを開けて入室した直後の使用者や、トイレ室に入室する直前の使用者、すなわちトイレ室に入室しようとしてドアの前に存在する使用者を検知してもよい。例えば、マイクロ波センサを用いた場合には、トイレ室のドア越しに使用者の存在を検知することが可能となる。
【００３０】
手動操作部２４は、使用者が例えば任意のタイミングで除菌水の噴霧を行うための操作部である。手動操作部２４は、スイッチまたはボタンなどを有するリモコンであり、使用者が手動操作部２４を操作すると、除菌水の噴霧を指示する操作情報（信号）が制御装置７０に送られる。制御装置７０は、その操作情報に基づいて除菌装置５４や噴霧装置６０を制御する。これにより、使用者は、手動操作部２４を操作することで、除菌水の噴霧を行うことができる。また、手動操作部２４は、除菌水の噴霧だけでなく、使用者が便座装置１０の各機能を操作するためのスイッチやボタンなどを有していてもよい。各機能に対応した操作が行われると、その操作情報が制御装置７０に送られ、制御装置７０は、その操作情報に基づいて、便座装置１０の各部の動作を制御する。
【００３１】
また、本体部１２の内部には、便座用モータ２６、便蓋用モータ２８、便座ヒータ３０、送風装置３２、温風ヒータ３４、および風向き変更部３６が設けられている。便座用モータ２６は、制御装置７０からの指令に基づいて、電動で便座部１４を回動させ開閉する。便蓋用モータ２８は、制御装置７０からの指令に基づいて、電動で便蓋１６を回動させ開閉する。
【００３２】
便座ヒータ３０（乾燥装置）は、例えば便座部１４の内部に設けられている。便座ヒータ３０は、例えば便座部１４の中央に形成された開口の周りに沿って設けられた環状の金属部材を有する。便座ヒータ３０は、制御装置７０からの指令に基づいて通電が行われることで、便座部１４を温める。便座ヒータ３０としては、例えばチュービングヒータや、シーズヒータ、ハロゲンヒータ、カーボンヒータなどを用いてもよい。金属部材は、例えばアルミニウムや銅などで構成される。また、金属部材の形状は、シート状やワイヤ状、メッシュ状など、種々の形状を採用することができる。
【００３３】
送風装置３２は、例えば本体部１２の内部に設けられたファンである。送風装置３２は、制御装置７０からの指令に基づいて動作する。送風装置３２は、例えばモータの回転に伴い羽根が回転することにより、便器１００内（ボウル部１０１内）に向けて送風することができる。送風装置３２は、噴霧装置６０から噴出されるミストＭを風に乗せて便器１００および便座部１４にミストＭを送る。送風装置３２は、例えばモータの回転制御により、風量を変更可能な風量変更部となっている。また、送風装置３２は、便座部１４に座った使用者の局部に送風してもよい。
【００３４】
温風ヒータ３４は、送風装置３２によって本体部１２の外部へ送られる空気を温める。これにより、使用者の局部に向けて温風を送り、局部を乾燥させることができる。また、風向き変更部３６は、本体部１２から便器１００内に向けて送られる風の向きを変更する。風向き変更部３６は、例えばモータによりダンパやルーバなどの向きを変更させて、便器１００内に送出される風の向きを変更する。また、風向き変更部３６は、コアンダ効果により風の向きを可変に制御してもよい。風向き変更部３６は、便器１００内の風向きを変更することで、噴霧装置６０から噴出されたミストＭを便器１００および便座部１４に効率よく行き渡らせる。
【００３５】
水路系において、便座装置１０は、管路４０〜４３、電磁弁５０、バキュームブレーカ５２、除菌装置５４、切替弁５６、ノズル５８ａ、ノズル洗浄室５８ｃ、および噴霧装置６０を有する。これらは、本体部１２内に配置されている。
【００３６】
管路４０は、水道や貯水タンクなどの図示しない給水源から供給された水を噴霧装置６０やノズル５８ａなどに導くためのものである。管路４０の上流側には、電磁弁５０が設けられている。電磁弁５０は、開閉可能な電磁バルブであり、本体部１２の内部に設けられた制御装置７０からの指令に基づいて水の供給を制御する。
【００３７】
管路４０上において、電磁弁５０の下流には、バキュームブレーカ５２が設けられている。このバキュームブレーカ５２は、例えば水を流すための流路と、流路内に空気を取り込むための吸気口と、吸気口を開閉する弁機構と、を有する。弁機構は、例えば流路に水が流れているときに吸気口を塞ぎ、水の流れの停止とともに吸気口を開放して流路内に空気を取り込む。すなわち、バキュームブレーカ５２は、管路４０に水の流れがないときに、に空気を取り込む。弁機構には、例えばフロート弁が用いられる。バキュームブレーカ５２は、上記のように管路４０内に空気を取り込むことにより、例えば管路４０のバキュームブレーカ５２よりも下流の部分の水抜きを促進させる。バキュームブレーカ５２は、例えば、ノズル５８ａや噴霧装置６０からの水抜きを促進する。
【００３８】
管路４０上において、バキュームブレーカ５２の下流には、除菌水を生成する除菌装置５４が設けられている。除菌装置５４は、例えば次亜塩素酸などを含む除菌水を生成する。除菌装置５４としては、例えば電解槽ユニットが挙げられる。電解槽ユニットは、制御装置７０からの通電の制御によって、陽極板（図示せず）と陰極板（図示せず）との間の空間（流路）を流れる水道水を電気分解する。なお、除菌水は、次亜塩素酸を含むものには限定されない。除菌水は、例えば銀イオンや銅イオンなどの金属イオンを含む溶液、電解塩素やオゾンなどを含む溶液、酸性水またはアルカリ水などでもよい。除菌装置５４は電解槽に限らず、除菌水を生成可能な任意の構成でよい。
【００３９】
管路４０上において、除菌装置５４の下流には、切替弁５６が設けられている。切替弁５６の下流には、身体洗浄機能部５８のノズル５８ａやノズル洗浄室５８ｃ、噴霧装置６０が設けられている。管路４０は、切替弁５６により、ノズル５８ａへ水を導く管路４１、ノズル洗浄室５８ｃへ水を導く管路４２、および噴霧装置６０へ水を導く管路４３に分岐している。切替弁５６は、制御装置７０からの指令に基づいて、管路４１、管路４２、および管路４３のそれぞれの開閉を制御する。つまり、切替弁５６は、ノズル５８ａ、ノズル洗浄室５８ｃ、および噴霧装置６０への水の供給を制御する。また、切替弁５６は、その下流に供給する水の流量を変更する。管路４３は、噴霧装置６０の給水部となっている。
【００４０】
身体洗浄機能部５８は、ノズル５８ａ、ノズルモータ５８ｂ、ノズル洗浄室５８ｃ、およびノズルダンパ５８ｄを有している。ノズル５８ａは、非使用時にはノズルダンパ５８ｄの後方に位置して本体部１２内に収納されている。そして、人体局部の洗浄時等において、ノズル５８ａは、ノズルモータ５８ｂからの駆動力を受け、本体部１２に対して開閉可能なノズルダンパ５８ｄを押圧して、便器１００のボウル部１０１内に進出する。ノズルモータ５８ｂは、制御装置７０からの指令に基づいて駆動する。ノズル５８ａは、本体部１２から前方へ進出した状態で、吐水口から水を吐出して、人体局部を洗浄する。ノズル洗浄室５８ｃは、その内部に設けられた吐水口から除菌水あるいは水道水を噴射することにより、ノズル５８ａの外周表面（胴体）を洗浄する。
【００４１】
噴霧装置６０は、便器１００の内部（ボウル部１０１）と便座部１４とのうち少なくとも一方にミストＭを噴霧する。噴霧装置６０は、水道水または除菌装置５４で生成された除菌水をミスト状にして、そのミストＭを噴霧部６２からボウル部１０１、リム部１０２、および便座部１４に噴霧する。換言すると、噴霧装置６０は、除菌水のミストＭまたは水道水のミストＭを、ボウル部１０１、リム部１０２、および便座部１４に着水させる。噴霧装置６０の具体的な構成については後で説明する。なお、本願明細書において「着水」とは、水（除菌水または水道水）が物体の表面に付着することをいう。特に「直接着水」という場合には、水（除菌水または水道水の微粒子）が空中から物体の表面に到着することを意味する。
【００４２】
制御装置７０には、図示しない電源回路から電力を供給される回路が用いられる。制御装置７０は、例えばマイコンなどの集積回路を含む。制御装置７０は、使用者を検知する人体検知センサ２２または着座検知センサ２０の検知情報、手動操作部２４の操作情報に基づいて、便座用モータ２６、便蓋用モータ２８、便座ヒータ３０、送風装置３２、温風ヒータ３４、風向き変更部３６、電磁弁５０、バキュームブレーカ５２、除菌装置５４、切替弁５６、ノズルモータ５８ｂ、および噴霧装置６０を制御する。
【００４３】
制御装置７０は、人体検知センサ２２の検知情報（使用者の存在の有無を示す信号）や、着座検知センサ２０の検知情報（使用者の着座の有無を示す信号）を受信し、受信した検知情報に基づいて、便座装置１０の各部の動作を制御する。
【００４４】
制御装置７０は、噴霧装置６０を制御する。この場合、制御装置７０は、噴霧装置６０からミストＭを噴霧するミストモードと、管路４３内の残水を抜く水抜モードと、噴霧装置６０から残水を排出する残水排出モードと、を実行する。ミストモードは、例えばプレミストモード、アフターミストモード、定期ミストモード、および手動ミストモードの複数のモードを有している。水抜モードと残水排出モードとは、これらミストモードの後に実行される。水抜モードは、ミストモードの後で残水排出モードが終了するよりも前に、実行される。
【００４５】
プレミストモードは、使用者のトイレ装置１の使用前に、人体検知センサ２２の検知情報に基づいて、除菌水または水道水のミストＭを自動で噴霧する動作モードである。アフターミストモードは、使用者のトイレ装置１の使用後に、人体検知センサ２２の検知情報に基づいて、除菌水のミストＭを自動で噴霧する動作モードである。定期ミストモードは、例えば便座装置１０がトイレ装置１の不使用時間帯を学習制御して、除菌水のミストＭを自動で噴霧する動作モードである。手動ミストモードは、手動操作部２４の操作情報に基づいて、除菌水のミストＭを噴霧する動作モードである。
【００４６】
図５（ａ）〜図５（ｅ）は、便座装置の本体部を示す平面図および斜視図である。
図５（ａ）に示すように、噴霧装置６０、ノズルダンパ５８ｄ、および送風ダンパ３６ａは、便座装置１０が便器１００の上部に設置された状態において、ボウル部１０１の後方上部に位置する。図５（ｂ）は、図５（ａ）の一部を拡大して示している。なお、図５（ｂ）では、噴霧装置６０の前方に位置する本体部１２の前壁部１２２を破断して、噴霧装置６０と噴霧部６２が収容される収納室１２１とを表している。図５（ｃ）〜図５（ｅ）は、噴霧装置６０、ノズルダンパ５８ｄおよび送風ダンパ３６ａの周辺を拡大して表す斜視図である。
【００４７】
ノズルダンパ５８ｄは、本体部１２の前壁１２ａに対して回動可能に軸支されている。ノズル５８ａは、本体部１２の内部に後退している状態では、ノズルダンパ５８ｄの後方に位置する。人体局部の洗浄時などにおいて、ノズル５８ａは、ノズルダンパ５８ｄに当接し、ノズルダンパ５８ｄを回動させて開き、本体部１２の内部から進出する。
【００４８】
送風ダンパ３６ａは、ノズルダンパ５８ｄの左側方に位置して、本体部１２の前壁１２ａに対して回動可能に軸支されている。送風ダンパ３６ａは、風向き変更部３６の一部を構成している。送風ダンパ３６ａの後方には、送風装置３２、温風ヒータ３４、および風向き変更部３６のルーバなどが配置されている。送風ダンパ３６ａは、本体部１２の開口１２０を覆う。送風装置３２から送られた空気は、風向き変更部３６により風向きを制御された状態で開口１２０から便器１００内へ送られる。
【００４９】
図５（ｃ）は、送風装置３２が動作を停止した状態であり、図５（ｄ）および図５（ｅ）は、送風装置３２が作動し、ボウル部１０１内に向けて送風している状態を示す。図５（ｃ）に示すように、送風が停止した状態においては、送風ダンパ３６ａは、閉じている。図５（ｄ）に示すように、送風装置３２が作動すると、送風ダンパ３６ａは、送風装置３２から送られる空気の圧力（風圧）により回動して開く。これにより、送風装置３２は、例えば矢示Ｃのように、ボウル部１０１内の後方上部からボウル部１０１内の前方下部へ向けて送風する。
【００５０】
図５（ｅ）の状態においては、図５（ｄ）の状態に比べて、送風装置３２が送る風量が多い（または風速が高い）。この場合には、送風ダンパ３６ａは、図５（ｄ）の状態に比べて、さらに回動して開く。これにより、送風装置３２は、例えば矢示Ｄのように、ボウル部１０１内の後方上部からボウル部１０１内の前方上部へ向けて送風する。なお、送風ダンパ３６ａの後方に風向き変更部３６を構成するルーバなどを設けて、このルーバの向きを可変とすることにより、風向きを左右方向に変更させてもよい。
【００５１】
このように、送風装置３２から送られる風の方向は、風向き変更部３６（送風ダンパ３６ａ）によって変化する。送風装置３２は、風量（風速）によって送風方向を制御することができる。送風装置３２からの送風によって生じる気流に、噴霧装置６０から噴霧されたミストＭを乗せることで、ミストＭが着水する範囲および各範囲におけるミストＭの着水量（各範囲に着水する除菌水または水道水の量）を制御することができる。
【００５２】
図６は、図５（ｃ）中の本体部と噴霧装置とを矢示Ｂ−Ｂ方向からみた断面図である。
図７（ａ）〜図７（ｃ）は、ミストモード、水抜モード、および残水排出モードを実行しているときの噴霧装置の状態を模式的に示す模式図である。図７（ａ）は、ミストモードを実行しているときの模式図である。図７（ｂ）は、水抜モードを実行しているときの模式図である。図７（ｃ）は、残水排出モードを実行しているときの模式図である。
【００５３】
本体部１２には、噴霧装置６０の噴霧部６２が収納される収納室１２１が設けられている。収納室１２１は、噴霧部６２の前方を覆う前壁部１２２と、噴霧部６２の下方を覆う底壁部１２３と、前壁部１２２と底壁部１２３との間に設けられた開口部１２４と、を有している。収納室１２１は、開口部１２４以外は前後方向、左右方向、および上下方向が囲まれた空間となっており、内部に水Ｗ２（水道水または除菌装置５４で生成された除菌水）が供給される。
【００５４】
前壁部１２２は、本体部１２の前壁１２ａの一部を構成している。底壁部１２３は、本体部１２の前壁１２ｂの一部を構成している。前壁部１２２と底壁部１２３とは、本体部１２に一体的に設けられていてもよいし、本体部１２とは別体で設けられていてもよい。
【００５５】
開口部１２４は、前壁部１２２と底壁部１２３との間に設けられている。開口部１２４は、前壁部１２２の下端１２２ａと底壁部１２３の前端１２３ａとの間に位置して、ボウル部１０１の内部と収納室１２１との間を連通している。
【００５６】
開口部１２４は、噴霧装置６０の噴霧部６２から噴霧されたミストＭを便器１００の内側（ボウル部１０１)に通過させるためのものである。また、開口部１２４は、便器１００の溜水部１０１ａに溜められた溜水Ｗ１の上方に位置している。これにより、噴霧装置６０の噴霧部６２の残水Ｐを収納室１２１から排出するときに、残水Ｐを開口部１２４から溜水Ｗ１に落下させることができる。
【００５７】
開口部１２４は、ミストＭが噴霧されない状態においても開口している。すなわち、開口部１２４は、開閉可能なカバー部などで閉塞されることなく、便器１００の内側と収納室１２１との間を常時連通している。これにより、収納室１２１の通気性がよくなるので、収納室１２１内の残水を効率よく乾燥させることができ、スケールが収納室１２１内に発生するのを抑制することができる。
【００５８】
図６に示すように、開口部１２４は、本体部１２の下端側に形成されている。この場合、前壁部１２２は、噴霧装置６０の前側全体を覆っているので、例えばボウル部１０１から跳ねた尿や汚水が開口部１２４から収納室１２１内に浸入してとしても、噴霧装置６０にかかるのを抑制することができる。
【００５９】
図５に示すように、開口部１２４は、鉛直方向（上下方向）よりも水平方向（左右方向）が長く形成された横長スリット形状となっている。これにより、前壁部１２２の前面１２２ｂを上側から下側（開口部１２４側）に伝わる尿や汚水が開口部１２４から収納室１２１内に浸入しにくくできる。
【００６０】
一方、図６に示すように、底壁部１２３は、上面１２３ｂが開口部１２４に向けて下降傾斜している。これにより、収納室１２１内に供給された水Ｗ２は、底壁部１２３の上面１２３ｂを伝わって開口部１２４からボウル部１０１内に排出させることができる。従って、底壁部１２３の上面１２３ｂに残水が発生するのを低減することができるので、収納室１２１にスケールや菌が繁殖するのを抑制することができる。
【００６１】
噴霧装置６０は、本体部１２の内部に設けられている。噴霧装置６０は、便座装置１０が便器１００の上部に設置された状態において、便座部１４よりも下方に配置され、便器１００内に向けてミストＭを噴霧する。ここで、噴霧装置６０が便座部１４よりも下方に配置されている状態とは、噴霧装置６０の少なくとも一部（この例では噴霧部６２）が便座部１４よりも下方であることをいう。これにより、便座部１４よりも下方から、便器１００内に水道水または除菌水のミストＭが噴霧される。
【００６２】
噴霧装置６０は、モータ６１と、モータ６１の下方に接続され板状に形成された噴霧部６２と、噴霧部６２の上面６２ａに水Ｗ２を供給する給水部（管路４３）と、を有する。モータ６１の回転は、制御装置７０によって制御される。噴霧部６２は、円盤状のディスクとして形成され、収納室１２１内に配設されている。すなわち、噴霧部６２は、周囲が取り囲まれている。
【００６３】
噴霧部６２の上方には、給水部を構成する管路４３の給水口４３ａが設けられている。給水口４３ａから噴霧部６２の上面６２ａに水Ｗ２（水道水または除菌装置５４で生成された除菌水）が供給される。モータ６１が回転すると、回転の駆動力が噴霧部６２に伝達され、噴霧部６２が回転する。噴霧部６２の回転中に、水Ｗ２が供給されることで、噴霧部６２は水Ｗ２をミスト状にして噴霧する。すなわち、噴霧装置６０は、噴霧部６２の回転によりミストＭを生成する回転霧化式となっている。
【００６４】
なお、管路４３の給水口４３ａは、１つに限らず、複数設けられていてもよい。図７では、給水口４３ａを２個設けた場合を示している。例えば、複数の給水口４３ａを噴霧部６２の外周に沿って略等間隔に配置することにより、噴霧装置６０の周囲において、ミストＭの粒径や流量の偏りを抑え、均一な噴霧を行うことができる。
【００６５】
図６に示すように、噴霧部６２は、例えば円錐形状からなり、水Ｗ２が滴下される上面６２ａの上端側から下端側（径方向外側）に向けて下向きに傾斜する傾斜面６２ｂを有している。噴霧部６２の傾斜面６２ｂは、前壁部１２２側では開口部１２４に向けて傾斜している。そして、噴霧部６２は、傾斜面６２ｂの径方向外側の端部６２ｃからミストＭを噴霧する。
【００６６】
これにより、回転する噴霧部６２の上面６２ａに滴下された水Ｗ２は、遠心力によって噴霧部６２上で膜状に広がり、端部６２ｃから放射される。すなわち、噴霧部６２は、鉛直方向（上下方向）よりも水平方向（左右方向）にミストＭが広がるように形成されている。また、噴霧部６２は、傾斜面６２ｂを有することで、水平方向に対して下方に向けてミストＭを噴霧する。すなわち、噴霧部６２の上面６２ａに滴下された水Ｗ２は、端部６２ｃから開口部１２４に向かって横長状に噴霧される。
【００６７】
ここで、水Ｗ２は、噴霧部６２の端部６２ｃから開口部１２４に向かって膜状のまま分裂したり、糸状となった後に分裂したりし、その後に微粒子（ミストＭ）となる。噴霧部６２の回転速度、すなわち、モータ６１の回転速度によって、ミストＭの粒径を制御することができる。この場合、回転速度が高い程、ミストＭの粒径は小さくなる。また、管路４３の給水口４３ａから噴霧装置６０に供給される水Ｗ２の流量を調整することにより、ミストＭの粒径を制御することもできる。
【００６８】
なお、粒径とは、ボウル部１０１および便座部１４に着水する前の空中に存在する微粒子の粒径であり、例えばザウター平均粒径（総体積／総表面積）である。また、ミストＭとは、粒径が１０マイクロメートル（μｍ）以上３００μｍ以下の範囲をいう。ミストＭの粒径が１０μｍ未満であると、ボウル部１０１、リム部１０２、便座部１４などの対象部位を濡らすために長い時間が必要となってしまう。また、次亜塩素酸を含む除菌水を用いた場合、ミストＭの粒径が１０μｍ未満であると、ミストＭ中の次亜塩素酸の濃度が減衰しやすく、除菌性能が低下しやすい。一方、ミストＭの粒径が３００μｍより大きいと、ミストＭが拡散しにくく、広範囲にミストＭを噴霧することが困難となる。
【００６９】
ミストモードでは、ミストＭの粒径が１０μｍ以上３００μｍ以下となるように、噴霧装置６０のモータ６１の回転速度が制御される。一方、残水排出モードでは、粒径が３００μｍ以上となるように、噴霧装置６０のモータ６１の回転速度が制御される。すなわち、残水排出モードでのモータ６１の回転速度は、ミストモードでのモータ６１の回転速度よりも遅く（低速で）制御されている。残水排出モードでは、噴霧部６２上の残水Ｐをミストにせずに弾き飛ばし、かつ残水Ｐが開口部１２４から噴霧されないようなモータ６１の回転速度に制御される。モータ６１の回転速度は、噴霧部６２の形状、大きさなどに基づき、実験、シミュレーションなどにより設定される。
【００７０】
本実施形態による便座装置１０は、上述の如き構成を有するもので、次に噴霧装置６０の作動について説明する。
【００７１】
制御装置７０は、管路４３（給水部）から噴霧部６２の上面６２ａに水Ｗ２が供給された状態で噴霧部６２を駆動することにより、ミストＭを噴霧するミストモードと、ミストモードの後で前記噴霧部６２を駆動することにより前記噴霧部６２の残水Ｐを排出する残水排出モードと、を実行する。ミストモードでは、除菌水または水道水のミストＭを噴霧装置６０からボウル部１０１および便座部１４に向けて噴霧することにより、ボウル部１０１や便座部１４を除菌したり、汚れの付着を抑制したりする。
【００７２】
この場合、制御装置７０は、例えばプレミストモード、アフターミストモード、定期ミストモード、および手動ミストモードを実行する。プレミストモードは、使用者のトイレ装置１の使用前に、人体検知センサ２２の検知情報に基づいて、除菌水または水道水のミストＭを自動で噴霧する。アフターミストモードは、使用者のトイレ装置１の使用後に、人体検知センサ２２の検知情報に基づいて、除菌水のミストＭを自動で噴霧する。定期ミストモードは、例えば便座装置１０がトイレ装置１の不使用時間帯を学習制御して、除菌水のミストＭを自動で噴霧する。手動ミストモードは、手動操作部２４の操作情報に基づいて、除菌水のミストＭを噴霧する。
【００７３】
ここで、例えばミストモードが終了した後に噴霧部６２上の残水が乾燥すると、噴霧部６２にスケールが付着する可能性がある。このスケールは、噴霧部６２の上面６２ａを流れる水Ｗ２の方向を変化させるので、ミストＭの放射形状が乱れて便器１００内および便座部１４に効果的にミストＭを噴霧することができない虞がある。
【００７４】
そこで、本実施形態では、ミストモードが終了した後に、水抜モードと残水排出モードとを実行している。  
図８は、制御装置によるミストモード、水抜モード、および残水排出モードを示す流れ図である。図８に示す制御処理は、制御装置７０のメモリにあらかじめ格納（記憶）されている。また、図８に示す制御処理は、人体検知センサ２２の検知情報、手動操作部２４の操作情報、および所定の時間などに実行される。
【００７５】
まず、Ｓ１では、残水排出モードを実行する。すなわち、制御装置７０は、ミストモードを実行する前に、噴霧装置６０のモータ６１を駆動して噴霧部６２を低速で回転させる。この残水排出モードは、予備的に噴霧部６２を回転させて、噴霧部６２の残水（汚水）を排出させるものである。これにより、例えば噴霧部６２に尿や汚水が付着していたとしても、ミストモードでその尿や汚水を含んだミストが噴霧されるのを抑制することができる。なお、Ｓ１における残水排出モードは、行われなくてもよい。
【００７６】
次のＳ２では、ミストモードが開始される。すなわち、制御装置７０は、切替弁５６を管路４３側に切替えて、各ミストモードに基づき除菌水または水道水からなる水Ｗ２を管路４３の給水口４３ａから噴霧部６２の上面６２ａに供給する。そして、制御装置７０は、噴霧装置６０のモータ６１を駆動して噴霧部６２を高速で回転させる。これにより、図７（ａ）に示すように、噴霧部６２の端部６２ｃからミストＭが噴霧される。このミストＭは、開口部１２４を介して便器１００の内部（ボウル部１０１）や便座部１４に着水する。
【００７７】
次の、Ｓ３では、ミストモードが停止する。すなわち、制御装置７０は、あらかじめ設定された時間が経過したら、電磁弁５０を閉塞して、管路４３の給水口４３ａから噴霧部６２への水Ｗ２の供給を停止する。また、制御装置７０は、噴霧装置６０のモータ６１の駆動を停止して、噴霧部６２の回転を停止する。
【００７８】
次のＳ４では、給水部（管路４３）内の残水を排出する。すなわち、制御装置７０は、管路４３内の水を抜く水抜モードを開始する。この場合、制御装置７０は、バキュームブレーカ５２を作動させて、管路４３内に残った除菌水または水道水を管路４３の給水口４３ａから噴霧部６２の上面６２ａに排出する。管路４３から排出された残水の一部は、噴霧部６２から底壁部１２３に落ち、底壁部１２３の傾斜面に沿って開口部１２４からボウル部１０１の溜水Ｗ１に落下する。また、図７（ｂ）に示すように、管路４３から排出された残水の一部は、噴霧部６２の上面６２ａに残る。
【００７９】
Ｓ５では、給水部（管路４３）内の残水排出が完了したか否かを判定する。すなわち、制御装置７０は、水抜モードを完了（終了）するか否かを判定する。水抜モードの完了は、例えば管路４３内の残水が完全に排出されたとされる経過時間により判断してもよいし、給水口４３ａにセンサなどを設けて管路４３の残水が排出されたか否かを判断してもよい。そして、Ｓ５で「ＹＥＳ」、すなわち給水部内の残水排出が完了したと判定された場合には、Ｓ６に進む。一方、Ｓ５で「ＮＯ」、すなわち給水部内の残水排出が完了していないと判定された場合には、Ｓ４に戻り、管路４３内の残水排出を監視する。
【００８０】
Ｓ６では、残水排出モードを実行する。すなわち、制御装置７０は、噴霧装置６０のモータ６１を駆動することにより、噴霧部６２をミストモードよりも遅い低速で回転させる。これにより、図７（ｃ）に示すように、噴霧部６２上の残水Ｐは、ミストＭにならずに噴霧部６２から排出される。すなわち、残水Ｐは、ミストＭよりも大きい粒径で噴霧部６２から放出される。この場合、残水Ｐは、噴霧部６２の遠心力が小さいので、開口部１２４から放出されることなく、例えば収納室１２１の前壁部１２２に接触する。そして、残水Ｐは、前壁部１２２から開口部１２４を介して便器１００に溜められた溜水Ｗ１に落下する。制御装置７０は、残水排出モードが開始してからあらかじめ設定された時間が経過したら、モータ６１の駆動を停止して残水排出モードを終了させ、エンドとなる。
【００８１】
図９は、水抜モードおよび残水排出モードの実行状態の一例を示すタイムチャートである。図９では、図８中のＳ３（ミストモード停止）以降のタイムチャートを示している。
【００８２】
まず、時間ｔ１では、ミストモードが終了（ＯＦＦ）するとともに、水抜モードが開始（ＯＮ）される。時間ｔ１から時間ｔ２の間では、水抜モードを実行するために、バキュームブレーカ５２を作動させて管路４３内の水抜を行う。時間ｔ２では、水抜モードが終了（ＯＦＦ）するとともに、残水排出モードが開始（ＯＮ）される。時間ｔ２から時間ｔ３の間では残水排出モードを実行するために、噴霧装置６０のモータ６１を低速で回転させる。これにより、噴霧装置６０の噴霧部６２に残水が発生するのを抑制することができ、ひいては噴霧部６２にスケールが発生するのを抑制することができる。そして、時間ｔ３では、残水排出モードが終了（ＯＦＦ）する。
【００８３】
かくして、第１実施形態による便座装置１０は、残水排出モードを実行することで、ミストモードの実行後に噴霧部６２の残水を排出することができる。これにより、噴霧部６２にスケールが発生するのを抑制することができる。その結果、スケールが原因でミストＭが意図しない方向に噴霧されることを抑制できる。また、水抜モードの後に残水排出モードが終了するので、噴霧部６２の残水をより確実に排出することができ、噴霧部６２にスケールが発生することをより確実に抑制できる。さらに、噴霧部６２の残水は便器１００の内部に向けて勢いよく噴霧されない。従って、ミストモードによって便座部１４や便器１００の内部に滞留させていたミストＭ（例えば除菌水ミスト）の上に、残水排出モードによって便座部１４や便器１００の内部に噴霧したミストが着水して、ミストモードにより付着させたミストＭが流れ落ちることを抑制できる。
【００８４】
次に、図１０、図１１は、本発明による便座装置の第２実施形態を示している。第２実施形態の特徴は、水抜モード中にも残水排出モードが実行されることにある。なお、第２実施形態では、上述した第１実施形態と同一の構成要素に同一符号を付し、その説明を省略する。
【００８５】
図１０は、本発明の第２実施形態に係る制御装置によるミストモード、水抜モード、および残水排出モードを示す流れ図である。  
Ｓ１１〜Ｓ１３では、それぞれ図８に示すＳ１〜Ｓ３と同様の制御処理がなされる。
【００８６】
次のＳ１４では、給水部（管路４３）内の残水を排出する。また、残水排出モードを開始する。すなわち、制御装置７０は、水抜モード中に残水排出モードを実行する。水抜モードは、図８中のＳ４と同様の制御処理がなされる。残水排出モードは、図８中のＳ６と同様の制御処理がなされる。この場合、残水排出モードは、水抜モード中に終了しない構成となっている。換言すると、水抜モードは、残水排出モードの途中で終了する構成となっている。
【００８７】
次のＳ１５では、給水部（管路４３）内の残水排出が完了したか否かを判定する。Ｓ１５は、図８中のＳ５と同様の制御処理がなされる。そして、Ｓ１５で「ＹＥＳ」、すなわち、給水部内の残水排出が完了したと判定された場合には、Ｓ１６に進む。一方、Ｓ１５で「ＮＯ」、すなわち給水部内の残水排出が完了していないと判定された場合には、Ｓ１４に戻り、管路４３内の残水排出を監視する。
【００８８】
Ｓ１６では、残水排出モードを終了する。すなわち、制御装置７０は、管路４３内の水抜きが完了した後に、噴霧装置６０のモータ６１の駆動を停止して、エンドとなる。これにより、水抜モードにより噴霧部６２の上面６２ａに排出された管路４３内の残水が噴霧部６２に残るのを抑制することができる。
【００８９】
図１１は、水抜モードおよび残水排出モードの実行状態の一例を示すタイムチャートである。図１１では、図１０中のＳ１３（ミストモード停止）以降のタイムチャートを示している。図１１に示す例では、水抜モード中に実行される残水排出モードは、水抜モード中に間欠的に実行される。
【００９０】
まず、時間ｔ１１では、ミストモードが終了（ＯＦＦ）するとともに、水抜モードが開始（ＯＮ）する。時間ｔ１２では、残水排出モードが開始（ＯＮ）する。時間ｔ１３では、残水排出モードを中断（ＯＦＦ）する。すなわち、制御装置７０は、時間ｔ１３で一旦モータ６１の駆動を停止する。これにより、ミストモードが終了したときの残水と、時間ｔ１１からｔ１３までの間に管路４３内から排出された残水とを排出させることができる。時間ｔ１４では、モータ６１を駆動することにより、残水排出モードを再開する。時間ｔ１５では、モータ６１の駆動を停止して残水排出モードを中断する。時間ｔ１６では、残水排出モードを再開する。そして、時間ｔ１７では、水抜モードを終了（ＯＦＦ）する。この場合、制御装置７０は、残水排出モードを継続して行うので、モータ６１の駆動は停止しない。その後、時間ｔ１８では、モータ６１の駆動を停止して、残水排出モードを終了（ＯＦＦ）する。
【００９１】
このように、図１１に示す例では、水抜モードが開始する時間ｔ１１から水抜モードが終了するｔ１７までの期間で、残水排出モードの中断と再開とを繰り返し行う。そして、残水排出モードは、水抜モードが終了した時間ｔ１７より後の時間ｔ１８で終了する。
【００９２】
かくして、このように構成された第２実施形態についても上述した第１実施形態と同様の作用、効果を得ることができる。第２実施形態では、水抜モード中に噴霧部６２の残水を排出させているので、噴霧部６２の残水を効率よく収納室１２１から排出させることができる。また、噴霧装置６０のモータ６１を間欠的に駆動しているので、噴霧装置６０（モータ６１）の駆動時間を短くすることができ、噴霧装置６０の寿命を向上できる。
【００９３】
図１２（ａ）〜図１２（ｃ）は、本発明の変形例による噴霧装置で実行されるミストモード、水抜モード、および残水排出モードを模式的に示す模式図である。図１２に示す噴霧装置６００は、板状に形成された噴霧部６０１から水Ｗ２に超音波を照射することで、水Ｗ２をミスト化する超音波霧化装置である。図１２（ａ）は、ミストモードを実行しているときの模式図である。図１２（ｂ）は、水抜モードを実行しているときの模式図である。図１２（ｃ）は、残水排出モードを実行しているときの模式図である。
【００９４】
噴霧装置６００は、例えば噴霧部６０１の振幅を少なくすることで、水Ｗ２のミスト化を抑制して噴霧部６０１から残水Ｐの排出を行うことができる。このように、第１実施形態で用いた回転霧化式の噴霧装置６０に変えて、超音波式の噴霧装置６００としても、上述した第１、第２実施形態と同様の作用、効果を得ることができる。
【００９５】
また、上述した第２実施形態では、ミストモードが終了したときに、噴霧装置６０のモータ６１の駆動を停止して水抜モードを実行した場合を例に挙げて説明した。しかし、本発明はこれに限らず、例えばミストモードが終了したときに、モータ６１の回転速度を高速から低速にしてもよい。すなわち、残水排出モードは、ミストモードから継続して行ってもよい。また、ミストモードと水抜モードとの間にも、残水排出モードを行ってもよい。すなわち、残水排出モードは、少なくとも水抜モードが終了した後に終了すればよく、ミストモードの開始時期は任意に設定することができる。
【００９６】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、便器、便座装置などが備える各要素の形状、寸法、材質、配置、設置形態などは、例示したものに限定されるわけではなく適宜変更することができる。また、前述した各実施形態が備える各要素は、技術的に可能な限りにおいて組み合わせることができ、これらを組み合わせたものも本発明の特徴を含む限り本発明の範囲に包含される。
【符号の説明】
【００９７】
１ トイレ装置、 １０ 便座装置、 １２ 本体部、 １２ａ 前壁、 １２ｂ 底壁、 １４ 便座部、 １４ａ 座面、 １４ｂ 裏面、 １６ 便蓋、 ２０ 着座検知センサ、 ２２ 人体検知センサ、 ２４ 手動操作部、 ２６ 便座用モータ、 ２８ 便蓋用モータ、 ３０ 便座ヒータ、 ３２ 送風装置、 ３４ 温風ヒータ、 ３６ 風向き変更部、 ３６ａ 送風ダンパ、 ４０,４１,４２,４３ 管路、 ４３ａ 給水口、 ５０ 電磁弁、 ５２ バキュームブレーカ、 ５４ 除菌装置、 ５６ 切替弁、 ５８ 身体洗浄機能部、 ５８ａ ノズル、 ５８ｂ ノズルモータ、 ５８ｃ ノズル洗浄室、 ５８ｄ ノズルダンパ、 ６０ 噴霧装置、 ６１ モータ、 ６２ 噴霧部、 ６２ａ 上面、 ６２ｂ 傾斜面、６２ｃ 端部、 ６５ 支持部、 ７０ 制御装置、 １００ 便器、 １０１ ボウル部、 １０１ａ 溜水部、 １０２ リム部、 １０３ 上面、 １０４ 内壁面、 １２０ 開口、 １２１ 収納室、 １２２ 前壁部、 １２２ａ 下端、 １２２ｂ 前面、 １２３ 底壁部、 １２３ａ 前端、 １２３ｂ 上面、 １２４ 開口部、 ６００ 噴霧装置、 ６０１ 噴霧部、 Ｍ ミスト、Ｐ 残水、 Ｗ１ 溜水、 Ｗ２ 水
【図１】
2020148015.tif 000003
【図２】
2020148015.tif 000004
【図３】
2020148015.tif 000005
【図４】
2020148015.tif 000006
【図５】
2020148015.tif 000007
【図６】
2020148015.tif 000008
【図７】
2020148015.tif 000009
【図８】
2020148015.tif 000010
【図９】
2020148015.tif 000011
【図１０】
2020148015.tif 000012
【図１１】
2020148015.tif 000013
【図１２】
2020148015.tif 000014